(57)【要約】【課題】睡眠の深さの良好なサイクルを実現することができ、肉体疲労と脳の疲労との双方を確実に回復させてバランスのとれた理想的かつ良好な静養を得ること。【解決手段】睡眠制御装置付寝具１は、ベッド本体１ａに搭載された睡眠制御装置２を有している。睡眠制御装置２は、使用者に適宜の振動を付与する振動付与装置３と、香発生装置４とを有している。振動付与装置３は、鉛直方向に昇降を繰り返したとき、ベッド本体１ａ上に横たわっている使用者に対し緩衝材１ｂを介して振動を付与することで、使用者に対して睡眠を誘発させたり、深い睡眠と浅い睡眠とからなる睡眠を促したりする一方、覚醒時には、浅い睡眠を促す。香発生装置４は、香り成分をベッド本体１ａの周囲に発生させる。また、睡眠制御装置２は、振動付与装置３および香発生装置４の他、脈波検出センサ６、スピーカ７、照明装置８を有している。【選択図】図１
2005270401.tif 000002
【特許請求の範囲】
【請求項１】
睡眠時間に応じて睡眠の深さが変化する睡眠パターンを有するプログラムであり、該睡眠パターンの異なる複数のプログラムと、
前記複数のプログラムから、所定のプログラムを選択する選択手段と、
前記選択手段により選択された前記プログラムの睡眠パターンと、使用者の睡眠パターンとが略一致するように該使用者の睡眠を制御する睡眠制御装置とを備えたことを特徴とする睡眠制御装置付寝具。
【請求項２】
前記複数のプログラムのうちの少なくとも１つのプログラムの睡眠パターンは、浅い睡眠と深い睡眠とを規定時間内で所定回数繰り返しつつ、必要最低限の深い睡眠の時間を確保する一方、
覚醒時には使用者に浅い睡眠に誘引させるものである請求項１に記載の睡眠制御装置付寝具。
【請求項３】
所定の睡眠パターンを有するプログラムを作成するプログラム作成手段を備える請求項１または２に記載の睡眠制御装置付寝具。
【請求項４】
前記プログラムは、実際に測定された、睡眠パターンに基づいて作成されたものである請求項１または２に記載の睡眠制御装置付寝具。
【請求項５】
使用者の睡眠の深さを検出する睡眠検出手段を有し、
前記制御部は、前記睡眠検出手段の検出結果に基づいて、前記使用者の睡眠の深さを制御する請求項２または３に記載の睡眠制御装置付寝具。
【請求項６】
前記睡眠検出手段は、使用者の脈拍を測定する脈波検出センサである請求項５に記載の睡眠制御装置付寝具。
【請求項７】
前記脈波検出センサは、使用者の脈波を検出するものである請求項６に記載の睡眠制御装置付寝具。
【請求項８】
前記睡眠検出手段は、使用者の体温を検出する体温計測センサである請求項５ないし７のいずれかに記載の睡眠制御装置付寝具。
【請求項９】
前記睡眠制御装置は、使用者に対して所定の振動を付与する振動付与装置を有する請求項１ないし８のいずれかに記載の睡眠制御装置付寝具。
【請求項１０】
前記睡眠制御装置は、香りを発生させる香発生装置を有する請求項１ないし９のいずれかに記載の睡眠制御装置付寝具。
【請求項１１】
前記睡眠制御装置は、音を発生させる音発生装置を有する請求項１ないし１０のいずれかに記載の睡眠制御装置付寝具。
【請求項１２】
前記音発生装置にて発生する音には、α波が含まれる請求項１１に記載の睡眠制御装置付寝具。
【請求項１３】
前記睡眠制御装置は、当該睡眠制御装置付寝具の周辺を照明する照明装置を有する請求項１ないし１２のいずれかに記載の睡眠制御装置付寝具。
【請求項１４】
前記照明装置は、少なくとも睡眠導入時と覚醒時とで照度を変更可能に設けられる請求項１３に記載の睡眠制御装置付寝具。
【請求項１５】
前記照明装置は、使用者の覚醒時、使用者の膝下側を照明する膝下照明部を含み、前記使用者に対して複数設けられる請求項１３または１４に記載の睡眠制御装置付寝具。
【請求項１６】
前記睡眠制御装置は、使用者の睡眠に必要な空間を画成する睡眠空間画成体と、該睡眠空間画成体内の湿度および／または温度を調整する空気調整部とを有する請求項１ないし１５のいずれかに記載の睡眠制御装置付寝具。
【請求項１７】
使用者の睡眠の深さを検出する検出手段と、
前記検出手段により検出された睡眠の深さに基づいて、前記使用者を覚醒するとともに、使用者に対して該使用者が見た夢の記録を促す通知手段とを有することを特徴とする睡眠制御装置付寝具。
【請求項１８】
前記使用者が見た夢を記録する記録手段を有する請求項１７に記載の睡眠制御装置付寝具。
【発明の詳細な説明】
【技術分野】
【０００１】
本発明は、睡眠制御装置付寝具に関するものである。
【背景技術】
【０００２】
現代社会では、多様化すると共に複雑化していることから、現代人の心理的、精神的ストレスが増えつつある環境にあり、そのため、心理的かつ精神的ストレスや肉体的疲労を効果的に解消するため、人間の睡眠を効果的に行うための睡眠制御用の寝具が種々提案されている。
そのような睡眠制御用の寝具としては、例えば人体に与える振動を制御することで安眠を確保できるようにした技術がある（例えば、特許文献１および２参照）。
【０００３】
特許文献１に記載された睡眠制御装置付寝具は、不眠症の人を極めて安全かつ効果的に安眠状態に導くことができるよう、敷布団を載置する寝台部を、長さ方向に装脱自在な複数部分に分割形成すると共に、該分割したマットレスのいずれか一個以上の上面内部の所定位置に、所定の振動数で振動する振動部材が取り付けられている。
そして、分割したマットレス（敷布団）を任意に並べて寝台部を形成する際、振動を与えたい身体の箇所に応じ、振動部材を取り付けたマットレスの位置を任意の位置に設定しておき、次に、寝台部に人間が横たわった状態で振動部材を駆動すると、振動部材を取り付けたマットレスが、一分間に１回〜２００回の間で任意に設定した振動を開始することにより、寝台部に横たわった人間の身体に心地良い振動が加えられ、これによって、不眠症の人を安眠状態に導けるようにしている。
【０００４】
特許文献２に記載された睡眠制御装置付寝具は、キャブオーバートラック等の乗員が仮眠するとき、乗員の睡眠を促進させる所定の振動を得るとともに、所定時間の安眠後速やかに覚醒状態へ移行させるようにしたものである。すなわち、トラックのエンジンコントローラに誘眠スイッチが電気的に接続され、この誘眠スイッチがオンされると、エンジンコントローラが所定の周期でエンジンの回転速度を変動させることで、つまり、エンジンのアイドリング状態でキャブが比較的小さな振幅で繰り返す振動を受けることで、運転者の睡眠が促進され、疲労を回復できるようにしている。
【０００５】
また、人体のレム睡眠とノンレム睡眠とを制御できるようにした技術もある（例えば、特許文献３および図４参照）。
特許文献３に記載された睡眠制御装置付寝具は、一般家庭でも手軽に取り扱え、不眠症の治療・予防を発揮するものであって、人体に振動を付与する加振手段と、その加振手段をヒト（人）のレム睡眠に応じてオン・オフする制御部とを含んでいる。
そして、加振手段が、電気エネルギーにより付勢される振動部材と、その振動部材に電気エネルギーを供給する駆動装置とからなっている。
【０００６】
この装置は、健常者では、短時間持続するレム睡眠と比較的長時間持続するノンレム睡眠が交互に規則的に出現する睡眠パターンであるのに対し、不眠症者では、健常者と比較すると、浅く短いノンレム睡眠と長く頻回するレム睡眠が不規則に出現する睡眠パターンを示すことから、振動部材によって振動を発生させることにより、不眠症者のように本来あるべき正常な状態にない場合には、睡眠パターンを本来のあるべき正常な状態に戻す一方、健常者のように睡眠パターンが正常な場合には、その正常な睡眠パターンを維持・増進できるようにしている。
【０００７】
一方、特許文献４に記載された睡眠制御装置付寝具は、被験者の生体情報に基づき被験者の疲労度および睡眠段階を検出する被験者検出手段と、睡眠中の被験者の環境をコントロールする環境制御部と、被験者検出手段の出力により疲労度が所定値以下に減少し、かつ、睡眠時間がレム睡眠と判断したときに環境制御部を制御して覚醒環境に切り替える制御部とを具備している。被験者検出手段としては、アイマスクに設けられた疲労度検出センサおよび睡眠段階検出センサとで構成され、被験者が多機能空調機に相当する環境制御部を運転状態にするとともに、アイマスクを装着して寝台の上に横たわったとき、疲労度検出センサおよび睡眠段階検出センサが被験者の疲労度および睡眠段階を検出して、その検出内容に合わせて制御部が環境制御部をコントールすることにより、覚醒時の意識が明瞭で疲労の回復感のある睡眠を短時間でとることができるようになっている。
【０００８】
しかしながら、特許文献１に記載された従来技術では、振動部材により敷布団としてのマットレスを振動させるものであり、特許文献２に記載された従来技術では、エンジンを利用してキャブ自体を振動させるものであり、両者はマットレスとキャブとで相違するものの、単に振動を発生させるとともに、その振動数を制御するだけであり、人間の睡眠の深さに関してサイクルがあるということについて何等配慮されていないという問題がある。
つまり、人間の睡眠には、上述のようにレム睡眠とノンレム睡眠とが交互に繰り返されることで、良好な睡眠が得られるものであり、単に振動を発生させるだけでは、良好な睡眠が得られるものではない。
【０００９】
一方、特許文献３に記載された従来技術では、人間の睡眠の深さのサイクルに合わせた標準睡眠パターンを予め設定しておき、該パターンに基づいて振動を制御するものの、実際に睡眠している人間の睡眠サイクルがどのような状態になっているのかを測定していないので、実際に睡眠している人間に対して正確に反映されるのか否か問題がある。
特許文献４に記載された従来技術では、疲労度の検出や睡眠の深さを検出してその検出をフィードバック制御するようにしているものの、睡眠の深さの反復に必要なサイクルの制御を行っておらず、したがって、人体に必要な肉体的疲労と脳の疲労との双方を回復させるためにバランスのとれた睡眠を得ることができにくいという問題があった。
【００１０】
【特許文献１】特開平７−２３１８３３号公報
【特許文献２】特開２００２−２５６４２５号公報
【特許文献３】特開２０００−１９５７０３号公報
【特許文献４】特開平５−６８７１２号公報
【発明の開示】
【発明が解決しようとする課題】
【００１１】
本発明の目的は、睡眠の深さの良好なサイクルを実現することができ、肉体疲労と脳の疲労との双方を確実に回復させてバランスのとれた理想的かつ良好な静養を得ることができる睡眠制御装置付寝具を提供することにある。
【課題を解決するための手段】
【００１２】
このような目的は、下記の本発明により達成される。
本発明の睡眠制御装置付寝具は、睡眠時間に応じて睡眠の深さが変化する睡眠パターンを有するプログラムであり、該睡眠パターンの異なる複数のプログラムと、
前記複数のプログラムから、所定のプログラムを選択する選択手段と、
前記選択手段により選択された前記プログラムの睡眠パターンと、使用者の睡眠パターンとが略一致するように該使用者の睡眠を制御する睡眠制御装置とを備えたことを特徴とする。
複数のプログラムから所望のプログラムを適宜選択し、睡眠制御装置にて制御を行うことにより、長時間の睡眠や、昼寝のような短時間の睡眠等の様々な睡眠において静養効果を高めることができる。
【００１３】
本発明の睡眠制御装置付寝具では、前記複数のプログラムのうちの少なくとも１つのプログラムの睡眠パターンは、浅い睡眠と深い睡眠とを規定時間内で所定回数繰り返しつつ、必要最低限の深い睡眠の時間を確保する一方、
覚醒時には使用者に浅い睡眠に誘引させるものであるのが好ましい。
これにより、睡眠の深さを、単に浅いとか深いとかだけでなく、時間との関係をもって睡眠制御を行うことができ、肉体疲労と脳の疲労との双方を確実に回復させることができ、バランスのとれた理想的な睡眠を得ることができる。
【００１４】
本発明の睡眠制御装置付寝具では、所定の睡眠パターンを有するプログラムを作成するプログラム作成手段を備えるのが好ましい。
これにより、使用者が所望の睡眠パターンを有するプログラムを容易に作成することができる。
本発明の睡眠制御装置付寝具では、前記プログラムは、実際に測定された睡眠パターンに基づいて作成されたものであるのが好ましい。
これにより、制御の精度が向上し、肉体疲労と脳の疲労との双方をより確実に回復させることができ、バランスのとれた理想的な睡眠を得ることができる。
【００１５】
本発明の睡眠制御装置付寝具では、使用者の睡眠の深さを検出する睡眠検出手段を有し、
前記制御部は、前記睡眠検出手段の検出結果に基づいて、前記使用者の睡眠の深さを制御するのが好ましい。
これにより、睡眠の深さを検出するので、使用者に対し、プログラムに基づいた睡眠の深さで睡眠制御することができる結果、静養効果を確実に高めることができる。
本発明の睡眠制御装置付寝具では、前記睡眠検出手段は、使用者の脈拍を測定する脈波検出センサであるのが好ましい。
これにより、睡眠の深さを容易かつ確実に検出することができる。
【００１６】
本発明の睡眠制御装置付寝具では、前記脈波検出センサは、使用者の脈波を検出するものであるのが好ましい。
これにより、睡眠の深さを、より容易かつ確実に判断することができる。
本発明の睡眠制御装置付寝具では、前記睡眠検出手段は、使用者の体温を検出する体温計測センサであるのが好ましい。
これにより、睡眠の深さを容易かつ確実に検出することができる。
【００１７】
本発明の睡眠制御装置付寝具では、前記睡眠制御装置は、使用者に対して所定の振動を付与する振動付与装置を有するのが好ましい。
これにより、使用者の身体および精神を和らげることができ、睡眠を誘引しやすくなり、睡眠導入を容易に行わせることができる。また、睡眠の覚醒を促すことができる。
本発明の睡眠制御装置付寝具では、前記睡眠制御装置は、香りを発生させる香発生装置を有するのが好ましい。
これにより、使用者の身体および精神を和らげることができ、睡眠を誘引しやすくなり、睡眠導入を容易に行わせることができる。また、ノンレム睡眠とレム睡眠との切り替えを効果的に促すことができる。また、覚醒時には身体および脳波を活性化させる香りを発生させることで、睡眠の覚醒を促すことができる。
【００１８】
本発明の睡眠制御装置付寝具では、前記睡眠制御装置は、音を発生させる音発生装置を有するのが好ましい。
これにより、容易かつ確実に、睡眠導入や覚醒を促すことができる。また、レム睡眠とノンレム睡眠の切り替えを効率よく行うことができる。
本発明の睡眠制御装置付寝具では、前記音発生装置にて発生する音には、α波が含まれるのが好ましい。
これにより、睡眠の誘引効果を高めることができ、また、レム睡眠からノンレム睡眠への切り替えを効率よく行うことができる。
【００１９】
本発明の睡眠制御装置付寝具では、前記睡眠制御装置は、当該睡眠制御装置付寝具の周辺を照明する照明装置を有するのが好ましい。
これにより、容易に睡眠導入や覚醒を促すことができる。
本発明の睡眠制御装置付寝具では、前記照明装置は、少なくとも睡眠導入時と覚醒時とで照度を変更可能に設けられるのが好ましい。
これにより、睡眠導入時にはこれに適した照度で照明でき、覚醒時にはそれに適した照度で照明できるので、睡眠を誘引することと覚醒を促すこととを容易かつ確実に行うことができる。
【００２０】
本発明の睡眠制御装置付寝具では、前記照明装置は、使用者の覚醒時、使用者の膝下側を照明する膝下照明部を含み、前記使用者に対して複数設けられるのが好ましい。
覚醒時に、膝下側が照明されることで使用者に対する覚醒効果を高めることができる。
本発明の睡眠制御装置付寝具では、前記睡眠制御装置は、使用者の睡眠に必要な空間を画成する睡眠空間画成体と、該睡眠空間画成体内の湿度および／または温度を調整する空気調整部とを有するのが好ましい。
これにより、前述した睡眠制御装置による制御効果をより高めることができる。
【００２１】
本発明の睡眠制御装置付寝具では、使用者の睡眠の深さを検出する検出手段と、
前記検出手段により検出された睡眠の深さに基づいて、前記使用者を覚醒するとともに、使用者に対して該使用者が見た夢の記録を促す通知手段とを有することを特徴とする。
これにより、特にレム睡眠で現れやすい夢を見たときを検出することができ、使用者にその夢の記録を促すことができる。
【００２２】
本発明の睡眠制御装置付寝具では、前記使用者が見た夢を記録する記録手段を有するのが好ましい。
記録手段に記録された内容を確認することにより、使用者の潜在的な心理状態を分析して、精神医療に用いたり、心理学の研究に役立てたりすることができる。また、創造的な芸術や発明の発想の励起への一助とすることができる。
【００２３】
本発明の睡眠制御装置付寝具では、前記振動付与部は、睡眠導入時およびノンレム睡眠への移行時と、ノンレム睡眠からレム睡眠への移行時と、レム睡眠からノンレム睡眠への移行時と、覚醒時とで振動数を変化させるのが好ましい。
これにより、使用者に対し、睡眠導入を有効に行うことができるばかりでなく、ノンレム睡眠からレム睡眠への移行と、レム睡眠からノンレム睡眠への移行と、覚醒効果とを確実に促すことができる。
【発明を実施するための最良の形態】
【００２４】
以下、本発明の睡眠制御装置付寝具の好適な実施形態について説明する。図１は、本発明の睡眠制御装置付寝具の第１実施形態を示す概略図、図２は、睡眠制御装置の振動付与部を示す拡大説明図、図３は、睡眠制御装置の香発生装置を示す説明図、図４は、図３のＸ矢視に相当する断面図、図５は、睡眠制御装置を示す構成ブロック図である。
図１〜図５を用いて本発明を説明する前に、まず、人間の睡眠形態について述べると、該睡眠形態は、睡眠の深さ（深度）の大きさによって二つに分けられる。一つは、眼球が動いている浅い睡眠であるレム睡眠（Ｒａｐｉｄ  Ｅｙｅ  Ｍｏｖｉｎｇ）、もう一つは、眼球が動かない深い睡眠であるノンレム睡眠である。近年、種々のストレスの増大や勤務形態の多様化などにより睡眠不足に悩む人も多い。また、時間の有効活用を図って、自分の時間をより有効に使いたいがため、睡眠時間を最小にしたいといった要求も多い。
【００２５】
ところで、睡眠の目的は、休息の目的のためにノンレム睡眠をどれだけ多く取るかに議論が集中しがちだが、実は、人間の本来の自然な睡眠には、ノンレム睡眠とレム睡眠のバランスのとれた複数回の反復が必要であって、単に深い睡眠（ノンレム睡眠）を多く取ればよいという単純なものではない。ノンレム睡眠は深い睡眠なので、肉体の休息をより促進するだけでなく、成長ホルモンなどの分泌もこの時に行われている。一方、この間に夢を見ることで知られているレム睡眠は、記憶の整理を行うということも行われていて、脳の発達や休息、精神的な休息のためにも非常に重要な意味を持つのである。また、ノンレム睡眠の中でも最初に訪れるサイクルは非常に重要で、以後のノンレム睡眠が徐々に浅くなるのが自然の睡眠のようである。よって、眠りは最初の９０分から３時間までが重要である。
本発明は、こういった理想的な睡眠を得るためのものであり、図１に示す睡眠制御装置付寝具（以下、単に「寝具」と言う）１は、ベッド本体１ａに搭載された睡眠制御装置２を有している。
【００２６】
以下、睡眠制御装置２の各構成要素について順次説明する。
睡眠制御装置２は、ベッド本体１ａに横たわっている使用者に適宜の振動を付与する振動付与装置３と、香発生装置４と脈波検出センサ（睡眠検出手段）６とスピーカ（音発生装置）７と照明装置８とを有している。
振動付与装置３は、ベッド本体１ａに設けられており、例えば鉛直方向に昇降を繰り返したとき、ベッド本体１ａ上に横たわっている使用者に対し緩衝材１ｂを介して振動を付与することで、使用者に対して睡眠を誘発させたり、深い睡眠と浅い睡眠とからなる睡眠を促したりする一方、覚醒時には、浅い睡眠を促すようにしている。
【００２７】
具体的に説明すると、上記振動付与装置３は、図２に示すように、ベッド本体１ａに複数設けられたピンアレイ３１と、ピンアレイ３１を昇降移動させる駆動源としてのアクチュエータ３９とを備えている。ピンアレイ３１は、ベッド本体１ａ上に、使用者の身体と接触するのに十分な広さ（面積）で複数配設されている。この十分な広さとは、ベッド本体１ａで使用者が横向きに横たわった姿勢は勿論、仰臥姿勢をとった場合に、ベッド本体１ａと利用者の身体全体とが接するのに十分という意味である。したがって、ピンアレイ３１は、ベッド本体１ａの略全面に渡って配設されている。
【００２８】
このようなピンアレイ３１は、図２に示すように、ベッド支持部１ｃを挿通して上方に突出する押圧部３２と、下方に延びてアクチュエータ３９の駆動力を受ける受圧部３３とを有している。そして、受圧部３３がアクチュエータ３９からの駆動力を受けると、その駆動力が押圧部３２に伝わることで、押圧部３２が進退して昇降する。これにより、押圧部３２が、ベッド本体１ａ上の使用者の身体を、緩衝材１ｂを介して押圧したり、押圧解除したりして振動させる。アクチュエータ３９は、後述する制御部５からの指令によって駆動される。
【００２９】
アクチュエータ３９は、詳細に図示していないが、特に限定されず、例えば、受圧部３３と係合されるリードスクリュー軸を先端に有するモータで構成され、モータの駆動でリードスクリュー軸が軸回りに回転したとき、その回転に伴って受圧部３３を上下動させるように構成されている。このアクチュエータ３９は、例えば、後述する制御部５等により、駆動される。
また、アクチュエータ３９としては、前述したモータに限られず、例えば、圧電素子や空気圧、油圧を用いたアクチュエータ等で構成してもよい。
【００３０】
また、ピンアレイ３１には、感圧センサ３４と、図５にのみ図示されている位置センサ３５および速度センサ３６とが設けられている。感圧センサ３４は、図２に示すように、ピンアレイ３１の押圧部３２の先端に装着され、押圧部３２と共に上昇したとき、ベッド本体１ａ上の使用者から緩衝材１ｂを介して接触圧を受けることで、その圧力を検出するようになっている。位置センサ３５は、ピンアレイ３１が昇降したとき、その位置を検出する。速度センサ３６は、例えばＸ、Ｙ、Ｚの三軸からなる加速度センサで構成され、ピンアレイ３１の昇降時の速度を検出する。これら感圧センサ３４、位置センサ３５、速度センサ３６の検出信号が制御部５に出力されることで、制御部５が予め定められたプログラムに基づいてピンアレイ３１を制御する。
なお、ベッド本体１ａの表面に設けられている緩衝材１ｂは、人体との接触部であるので、質感が柔軟で心地よいものであれば特に限定されないが、振動付与装置３の駆動によって与えられる振動が完全に緩衝されることがない材質で構成されるのが好ましい。
【００３１】
香発生装置４は、香り成分をベッド本体１ａの周囲に発生させるために設けられている。
この香発生装置４は、例えば図３に示すように、芳香発生源としての香料４１を収納する香料収容部４２と、この香料収容部４２に空気を送る第１ポンプ４３と、香料収容部４２を通って芳香が付加された空気を外部へ排出する第２ポンプ４４とを備えている。
香料収容部４２は、ケース部材４５の中央部に凹んで形成され、内部に粒状に形成された固体の香料４１が収納されている。そして、香料収容部４２と第１ポンプ４３とは、ケース部材４５に設けられた連通溝４６ａで連通するとともに、香料収容部４２と第２ポンプ４４とは、ケース部材４５に設けられた連通溝４６ｂで連通している。
【００３２】
第１ポンプ４３および第２ポンプ４４は、それぞれ二枚のロータ４３ａ・４３ｂおよび４４ａ・４４ｂを備えたルーツポンプから構成され、それぞれの二枚のロータが回転軸４３ｃ・４３ｄ、４４ｃ・４４ｄを中心に互いに回転可能に支持されていて、二枚のうちの一方が回転すると、それに伴い他方がそれと反対方向に回転するようになっている。第１ポンプ４３内の空間には、吸入口４０ａが連通され、第２ポンプ４４内の空間には芳香排出口４０ｂが連通されている。
第１ポンプ４３には、図４に示すように、駆動源としてのアクチュエータ４７が設けられている。アクチュエータ４７には、圧電素子の伸縮によって振動する振動体４７ａと、これを振動させる圧電素子４７ｂからなる印加装置（図示）が設けられている。第２ポンプ４４は、図３では図示していないが、第１ポンプ４３と基本的には同様の構成である。
【００３３】
この香発生装置４は、振動体４７ａの圧電素子４７ｂに電圧が印加されることで振動体４７ａが屈曲振動と縦振動とを組み合わせた楕円軌道を描いて振動し、その振動に伴い振動体４７ａの一部がポンプ駆動用ロータ４８に押し付けられ、その摩擦によって駆動用ロータ４８が回転する。そのとき、駆動ロータ４８の回転によってロータ４３ａが一方向に回転すると、ロータ４３ａ側に設けられた歯車４９ａと、ロータ４３ｂ側に設けられた歯車４９ｂとが噛合していることから、他方のロータ４３ｂが逆方向に回転し、これによって第１ポンプ４３の空間内に吸入口４０ａから空気が取り入れられた後、その空気が連通溝４６ａを通過して芳香収容部４２に送られ、ここで香料４１の芳香が空気に付加され、付加された空気が連通溝４６ｂを通って、第２ポンプ４４内に吸入され、かつ芳香排出口４０ｂから排出され、この動作が連続的に行われることで芳香を発生させるようになっている。なお、第２ポンプ４４の動作も、第１ポンプ４３の場合と同様である。
【００３４】
また、香発生装置４は、例えば睡眠導入時やノンレム睡眠への誘引においては、ラベンダー、イランイラン、キチンフィットなどの香りを発生させ、睡眠中にはキチンフィットなどの香りを発生させ、覚醒時やレム睡眠への誘引にはミント、レモン、オレンジなどの活性化させるような香りを発生させるようになっている。
このように、種々の香りを個別に発生させるため、本実施形態では、香発生装置は、寝具１に対して複数設けられており、複数種類の香りを同時に発生させることも可能である。
【００３５】
このような、香発生装置４は、近年、花等からなる香素材の効果が精神カウンセリングの治療等においてアロマテラピーという範疇で注目されている。
そして、上記振動付与装置３および香発生装置４は、睡眠に際し、制御部５によって駆動されることで、使用者の睡眠の導入作用、昏睡作用、覚醒作用が得られるように制御される。制御部５については、後述する。
【００３６】
脈波検出センサ６は、人体の脈にも睡眠の深さが反映されるという実験結果から、脈拍を測定することにより睡眠の深さ（深度）を検出するためのものである、この脈波検出センサを用いることにより、睡眠の深さを容易かつ確実に検出することができる。
脈拍測定手段としては、特に限定されないが、使用者の腕に装着されたとき、光学的なセンサによって指先の毛細血管の脈流から血中ヘモグロビンの流速を検出することで、脈拍を算出する脈波検出センサが好適に用いられ、例えば「パルスグラフ（セイコーエプソン株式会社製）」が挙げられる。
【００３７】
この場合、パルスグラフからの検出信号が制御部５にフィードバックされるので、両者間は有線にて接続されているが（図示せず）、睡眠中の人間の動きの自由度を考慮すれば、無線で接続されることが好ましい。
スピーカ７は、例えば音楽、自然界の音、イルカ等のような動物の声、人工的に作られた音等を、単体もしくはそれらを複合してスピーカ７から発生させるようになっている。発生させる音の中には、心地よさをもたらすことが肝要であることから、その代表としてのα波をもった音素材も含まれているのが好ましい。このようなスピーカ７は、睡眠導入時の時間帯と、覚醒時とに重要な働きをするために使用されるが、それ以外として、睡眠中のレム睡眠とノンレム睡眠との切り替え時にも効果的に使用される。このようなスピーカ７から出力される音は、好みの問題もあり得ることから、使用者に応じた音に変更できるようになっている。
【００３８】
照明装置８は、睡眠導入時と覚醒時とにおいて特に重要な働きをするものである。特に、睡眠導入時には、メラトニンの分泌を促進させるために３０ルクス程度の白熱灯が効果的とされる一方、覚醒時には、強い光（一説には２５００ルクス以上の照度と言われている）を浴びると体内リズムが覚醒へと導かれるとされていることから、睡眠導入用として３０ルクス程度の白熱灯で照明できるとともに、覚醒用として強い光で照明できるようになっている。つまり、この照明装置８は、本実施形態では、ベッド本体１ａの上部に設けられた一つの照明灯によって照明照度および照明の色が変更可能になっている。但し、これに限らず、睡眠導入用と覚醒用とで個別の照明灯を用いて照明するようにしてもよい。また、照明装置８は、使用者が照度および色を選択的に調整することで読書などを行えるようにもなっている。
【００３９】
このような照明装置８は、膝下照明を行うための膝下照明部８１を備えている。
膝下照明部８１は、膝下を照明することで人体の体内時計を活性化させるという近年注目されている学説を利用したものであって、緩衝材１ｂの上面において、横たわっている人体の膝裏部分と対応する位置に埋設され、覚醒時期に、制御部５からの指令に基づいて膝側を照明するようになっており、その照明の照度および照明色は適宜選定されている。
前述した振動付与装置３、香発生装置４、脈波検出センサ６、スピーカ７および照明装置８のそれぞれが、制御部５に接続され、制御部５からの指令に基づいて動作する。
制御部５は、前述した睡眠制御装置２の各装置に対して種々の処理を行うために設けられている。
【００４０】
図５において、制御部５は、ＭＰＵ（演算部）５１と、ＲＡＭ（ランダムアクセスメモリ）５２およびＲＯＭ（リードオンリーメモリ）５３からなる記憶部と、制御部５の各部位に対して電源を供給する電源部５４と、操作部５５と、遠隔操作部５６と、表示部５７とを有している。
また、ＭＰＵ５１には、Ｉ／Ｆ５８を介して振動付与装置３、香発生装置４、スピーカ７、照明装置８、膝下照明部８１、脈波検出センサ６、内蔵データベースＤ１およびＷＥＢ上のデータベースＤ２がそれぞれ接続されている。
【００４１】
ＭＰＵ５１は、後述するプログラムを実行するに際して、睡眠制御装置２の各部位の動作の制御等、各種機器を制御するために設けられている。
ＲＡＭ５２およびＲＯＭ５３には、睡眠時間に応じて睡眠の深さが変化する睡眠パターンを有し、その睡眠パターンの異なる複数のプログラムや、脈波検出センサ６によって得られた脈波のデータ等、各種の情報を格納することができる。プログラムに関しては、後に詳述する。
【００４２】
操作部５５および遠隔操作部５６は、ＭＰＵ５１に対して指示を入力する部位である。操作部５５および遠隔操作部５６としては、特に限定されないが、例えば、キーボード、押しボタン、矢印キー、スイッチなどが挙げられる。
表示部５７は、各種の情報を表示する部位である。同じく特に限定されないが、表示部５７としては、例えば、薄型、低消費電力の液晶表示素子や、反射式で表示の見やすい電気泳動式表示素子などが挙げられる。なお、表示部は、各種情報を表示するものであればよく、例えば、音声出力部によって情報を音声で通知するものであってもよいし、表示部５７と音声出力部の両方を備えるものでもよい。また、スピーカ７が音声出力部を兼ねていてもよい。
【００４３】
Ｉ／Ｆ（インターフェース）５８は、各種の情報の通信を行うための通信手段としてのインターフェースである。このＩ／Ｆ５８は、振動付与装置３、香発生装置４、スピーカ７、照明装置８、膝下照明部８１、脈波検出センサ６、データベースＤ１およびＤ２等、各種のコンピュータや端末装置と通信を行う。
振動付与装置３は、振動付与装置３のＩ／Ｆ３８およびＩ／Ｆ５８を介してＭＰＵ５１と接続されている。Ｉ／Ｆ３８には、アクチュエータ３９、感圧センサ３４、位置センサ３５および速度センサ３６が、それぞれ接続されている。
【００４４】
香発生装置４も、振動付与装置３と同様に、Ｉ／Ｆ５８を介してＭＰＵ５１に接続されている。
内蔵データベースＤ１は、寝具１に内蔵されたデータベースであり、Ｉ／Ｆ５８を介して、制御部５との間でデータの送受信ができるように設けられている。また、内蔵データベースＤ１は、例えば、イントラネット等に接続可能となっており、その格納データを更新することができるようになっている。
【００４５】
ＷＥＢデータベースＤ２は、インターネットを介して接続され、睡眠の推奨パターンを提供するデータ等を有するＷＥＢサイト等の外部のデータベースであり、そのＷＥＢサイトから所望のデータをダウンロードすることもできるようになっている。
また、図示されていないが、Ｉ／Ｆ５８は、着脱可能な記憶素子とも接続可能に設けられているのが好ましい。これにより、容易に制御部５に対してプログラムを提供することができる。
なお、制御部５は、本実施形態では図１に示すようにベッド本体１ａの頭部側の下部に設けられているが、これに限らず、任意でよい。
【００４６】
制御部５は、前述した睡眠時間に応じて睡眠の深さが変化する睡眠パターンを有するプログラムを実行することにより使用者に対して快眠を提供できるようになっており、そのような理想的な関係からなる睡眠パターンのプログラムは、ウィザード形式で、複数設けられた理想的な睡眠パターンから使用者が適宜選択することができるばかりでなく、実際に測定された使用者の睡眠パターンの結果に基づいてプログラムを作成し、それを実行することも可能である。
【００４７】
この場合、例えば、脈波検出センサ６の結果（脈波のデータ）に基づいて、作成したプログラムをそのまま実行したり、またはその結果の一部を操作部５５、遠隔操作部５６を操作することにより適宜修正して作成されたプログラムを実行したりすることもできる。
また、脈波のデータを取り出し解析することによって理想的な睡眠を得るための解析に用いて、その解析結果に基づいてプログラムを作成し、実行することもできる。
【００４８】
また、必要とされる睡眠の深さの時間間隔を規定するとともに、その規定された時間内で睡眠ステップをそれぞれ順次経るようなプログラムを作成することもできる。これにより、プログラムの入力を簡易なものとすることができ、ＭＰＵ５１の演算負荷および使用者のプログラム作成の負荷を軽減することができる。
また、使用者が所望の睡眠パターンを独自に考え、プログラムを作成し、それを実行することもできる。
【００４９】
さらに、制御部５の機能について、以下に具体的に述べる。
一般に、人間の睡眠には、レム睡眠と、ノンレム睡眠を繰り返す反復作用が行われることが重要とされ、しかも睡眠時間と、睡眠導入パターンと、上記反復作用の回数と、覚醒パターンなども重要な要素となっている。そして、特に、重要なのは、図６に示す波形中、レム睡眠レベル線Ｓより下方に位置するノンレム睡眠の合計時間（近年の研究では、合計４０分程度が最低限必要とされている）と、レム睡眠の深さであって、レム睡眠レベル線Ｓとこれより下の波形とで形成される扇形状の斜線部分ａの積分面積が、十分な睡眠休養をとれたか否かを決定付けるとされている。図６は、理想とされる睡眠の深さと時間との関係を示す睡眠パターンの波形図である。
【００５０】
図７は、図６に相当する実際の睡眠時の脈拍と時間との関係を示す波形図であり、横軸に睡眠経過の時間を、縦軸に脈拍をそれぞれ表している。脈拍の値は、小さいほど睡眠は深いと言われている。
図７に示す睡眠波形の被験者は、５時間程度の短時間の睡眠を習慣的に行っており、近年、短時間睡眠者（ショートスリーパー）と呼ばれている部類の人である。短時間睡眠者の特徴が、図７に現れており、その特徴が以下の通りである。
【００５１】
（１） スムーズな入眠：１０分強で深い睡眠に入っている。ノンレム睡眠と思われる５０以下の脈拍まで一気に落ちている。
（２） 十分な深い睡眠の時間：最初のノンレム睡眠だけで５０分以上確保している。最低４０分以上必要と言われている。
（３） 規則的な浅い睡眠と深い睡眠の反復：ほぼ理想的な4回のノンレム睡眠と思われる深い睡眠が得られている。しかも、この場合には、前述の一般論のように、ノンレム睡眠の深さが徐々に浅くなっている。
（４） 無理のない覚醒への導入：起床の際の爽快感を得るためには、あらかじめ起床の前に睡眠の深さを徐々に浅くしていくのが理想的と考えられている。図７においても、起床前の３０分以内にそれに近いと思われる現象が脈拍に現れている。実際、この被験者は、通常、アラームなしで起床している。
【００５２】
一方、図８は、常時８時間以上の睡眠を欲している被験者の実際の睡眠時の脈拍測定結果を示す。この例では、上記の（１）から（４）の理想的な睡眠とはことごとく異なる結果となっているのがよくわかる。なお、図８は、理想とされない睡眠時の脈拍と時間との関係を示す波形図である。
この図８において、特に特徴的なのは、入眠後徐々に睡眠が深くなっていく様子が脈拍から推定され、覚醒時には最も深い睡眠のまま強制的に起こされていると考えられる。但し、深い睡眠の時間が確保されているようなので、肉体的な休息は十分に取られているように思われる。しかしながら、図７の場合と異なり、レム睡眠とノンレム睡眠の反復と考えられるような挙動が見あたらないことから、人体に必要な自然な睡眠とはなっていないように想像される。
本実施形態の寝具１は、睡眠制御装置２の制御部５により、振動付与装置３、香発生装置４、脈波検出センサ６、スピーカ７、照明装置８等を利用することで、図８に示すような睡眠波形の人にも、図７に示す睡眠波形を得ることができるようにしたものである。
【００５３】
ところで、人間に対する睡眠制御に際し、制御因子や制御水準は個人差が大きいので、対象者の睡眠内容を知るために、前述した脈波検出センサ６が必要となる。但し、脈波検出センサ６としての脈波検出センサでは、本来の睡眠の深さそのものを測定していないので、正確には脳波測定や眼球移動等の測定結果との照合をして代用特性として活用するための研究は引き続き行う必要があるものの、脈波の測定結果も有効となり得る。
【００５４】
上記した睡眠制御は、通常夜に行われる長時間の睡眠だけでなく、昼寝のような短時間の睡眠にも適用可能である。例えば、図９は、昼寝の脈拍と時間との関係を示す波形図で、図１０は、理想とされる昼寝の脈拍と時間との関係を示す波形図である。
図９および図１０の波形図は、いずれも図７に示す波形が得られた被験者が行った結果である。図９において、１時間の間に脈拍の上下変動があるが、覚醒に向かって脈が徐々に上がっていくことから、心地よい目覚めができたと推定される。図９に示す波形結果から考慮すれば、この被験者の場合、この昼寝のような短時間においてもノンレム睡眠の深さまで達しているとも考えられる。つまり、肉体が深い静養状態に入った可能性がある。もしこの場合、図９のように覚醒に向かって脈拍が徐々に上がっていないと、目覚めのときは疲労感が残ってしまう恐れがある。
【００５５】
一方、図１０においては、ほぼ最後まで徐々に脈拍が低くなっているが、全体的に脈拍の値が通常の睡眠よりも高い傾向にある。したがって、肉体は深い静養状態には入っていないと考えられる。この場合、脳は静養されているが肉体は深い静養になっていないことが想像できる。一般的に、昼寝の効果としては、図１０のようなパターンが望ましいとされている。本実施形態では、睡眠制御装置２の制御部５により、図１０にて示す昼寝のような短時間の睡眠についても、良好な睡眠波形が得られるようになっている。
【００５６】
したがって、制御部５は、通常の睡眠だけではなく、昼寝やその他からなる短時間睡眠なども含め、種々の目的に応じた睡眠パターンを得るためのプログラムを作成したり、データベースから呼び出したりすることで使用者に理想の睡眠を与えることができるようになっている。そのため、制御部５は、少なくとも、睡眠時間の長さ、レム睡眠とノンレム睡眠の反復回数、それぞれの時間、覚醒までの準備パターンを睡眠深さの要素としている。勿論その場合、レム睡眠、ノンレム睡眠の中をもっと細かな段階を規定して定義することも可能であり、そのステップの移行の際における変化勾配などを設けることも可能となっている。
【００５７】
次に、上記寝具１の作用を説明する。
図１１は、睡眠から覚醒に至るまでのフローチャートで、図１２は、図１１におけるＡのフローチャートである。
［１］  睡眠に際しては、図１１に示すように、まず睡眠制御のセットを行う。つまり、使用者が図１に示すように寝具１に入ったとき、ベッド本体１ａに設けられている睡眠制御装置２の遠隔操作部５６（図５参照）を操作して調整モードを選択することで、「手動モード」と「自動モード」とのいずれかを選択する（ステップＳ１０１）。
これにより、例えば「手動モード」が選択された場合には、制御部は、次の動作の入力待ち状態となる。
【００５８】
［２］  次いで、使用者が遠隔操作部５６により振動付与装置３をオンさせ、振動付与装置３のピンアレイ３１の感触が所望の状態となるまで、手動スイッチを操作する（ステップＳ１０２）。
［３］  振動付与装置３のアクチュエータ３９が動作し、ピンアレイ３１が昇降動作するので、その姿勢を使用者が調整する（ステップＳ１０３）。
つまり、使用者は、自分に適した振動や位置などとなるようピンアレイ３１を調整する。
【００５９】
［４］  このようにして、振動付与装置３の振動が調整されているとき、その具合が適しているか否かを使用者が判断する（ステップＳ１０４）。
このとき、使用者は、その振動で満足しない場合には（ステップＳ１０４のＮＧ）、上記Ｓ１０２以降の処理を繰り返し行うこととなる。
［５］  そして、上記Ｓ１０４の結果、使用者は、良好と判断した場合には（ステップＳ１０４のＯＫ）、睡眠に至ることとなる（ステップＳ１０５）。
［６］  一方、上記Ｓ１０１の処理によって使用者が「自動モード」を選択すると、制御部５は、予め選定されたプログラムに基づいて振動付与装置３を駆動するので、まず、ピンアレイ３１が上昇し、使用者の身体に緩衝材１ｂを介して軽く触れる（ステップＳ１０６）。
【００６０】
［７］  そのとき、ピンアレイ３１に設けられている感圧センサ３４（図２参照）は、使用者との間で緩衝材１ｂを介して接触することで得られた圧力を計測する（ステップＳ１０７）。
この場合、感圧センサ３４が、計測した値の信号を制御部５に出力し、また位置センサ３５（図５参照）が、ピンアレイ３１の移動に基づいてその位置を計測するとともに、その計測値の信号を制御部５に出力する。
上記計測時、使用者の身体に応じて各ピンアレイ３１の上昇度がそれぞれ変化するので、その位置が位置センサ３５によって検出される一方、感圧センサ３４によって検出される圧力もそれぞれ変化するので、使用者の身体的特徴を検出することができる。
【００６１】
［８］  制御部５は、感圧センサ３４および位置センサ３５からの計測信号に基づき、使用者の身体と接触している各ピンアレイ３１の圧力が一定となるようにピンアレイの移動量を計算する（ステップＳ１０８）。
［９］  次いで、制御部５は、上記の計算に基づいた値（移動量）でアクチュエータ３９を駆動することで、ピンアレイ３１を移動させる（ステップＳ１０９）。
【００６２】
［１０］  その後、制御部５は、ピンアレイ３１に設けられている感圧センサ３４の計測信号を再び取り込むことにより、使用者の身体に対し緩衝材１ｂを介して接触しているピンアレイ３１のいずれも、略一定の圧力で接触しているのか否かを判定する（ステップＳ１１０）。
上記判定結果、万一、いずれかの感圧センサ３４による圧力が、他の感圧センサ３４の計測圧力と異なっている場合には（ステップＳ１１０のＮＧ）、いずれもの感圧センサ３４の検出圧力が同じになるまで、上記ステップＳ１０８以降の処理を繰り返し実行することとなる。
また、上記判定結果、いずれも略一定圧になると（ステップＳ１１０のＯＫ）、その一定圧となる状態にピンアレイ３１の昇降が繰り返され、振動付与が継続的に行われので、振動のセットが完了することとなり、その後、上記ステップＳ１０５の処理に至ることとなる。
【００６３】
［１１］  上記ステップＳ１０５の処理時には、図１２に示すように、使用者が遠隔操作部５６を操作することにより、自分に合った睡眠レベル（睡眠プログラム）を選択する（ステップＳ１２１）。
この場合、例えば、夜の場合のような長時間睡眠をとるプログラムであるのか、昼のような短時間睡眠をとるプログラムなのか、また長時間睡眠であるなら、合計どの程度の睡眠時間のプログラムなのか、昼時間睡眠であるなら、合計どの程度の睡眠時間のプログラムなのかを選択する。
【００６４】
［１２］  制御部５は、選択された睡眠レベルに対応する情報を入手する（ステップＳ１２２）。
この情報としては、前述したＲＡＭ５２、ＲＯＭ５３、データベースＤ１およびデータベースＤ２に格納されている情報が挙げられる。
［１３］  制御部５は、取り込んだデータに基づき、感圧センサ３４および位置センサ３５からの検出信号によって得た使用者の身体的特徴や有効なツボなどを算出するとともに、それに対応するピンアレイ３１を特定する。
またこのとき、制御部５は、睡眠導入のため、香発生装置４、スピーカ７、照明装置８などのいずれを駆動するかを決定する（ステップＳ１２３）。
【００６５】
［１４］  そして、制御部５は、上記の決定に従い、選択されたプログラムに基づいて、睡眠制御を実行することとなる（ステップＳ１２４）。
これにより、睡眠導入時には、例えば振動付与装置３によって睡眠を誘引するのに適した振動を発生させる。
この場合、振動付与装置３は、睡眠の導入時には、人間の心拍数に近い値か、それ以下の振動数が有効とされることから、概ね５０〜１２０回／秒の振動を付与する。また、香発生装置４においては香りを発生させ、スピーカ７からは音が流れ、照明装置８においては低照度で照明することで、睡眠を誘引することとなる。
【００６６】
［１５］  次いで、制御部５は、脈波検出センサ６によって使用者の脈拍を計測するとともに、その信号に基づいて睡眠の深さを検出する一方、該検出した睡眠深さを、選択されたプログラムの内容と比較チェックする（ステップＳ１２５）。
上記比較チェック時、例えば、脈波検出センサ６によって使用者の睡眠が深くなったことが検出され、睡眠に至っていることが判ると、制御部５は、レム睡眠とノンレム睡眠とが適宜繰り返されるよう、振動付与装置３の振動数を制御する。
【００６７】
この場合、振動付与装置３は、ノンレム睡眠の誘引時には上記値の振動が付与されるが、ノンレム睡眠からレム睡眠への移行には、１２０回／秒以上の振動数、概ね１５０〜２５０回／秒の振動数を付与する。このようにして、使用者に対し、振動数を変えることで、ノンレム睡眠およびレム睡眠に導きながら双方の状態に繰り返させる。
また、制御部５は、使用者が睡眠状態に陥ったと判断したとき、振動付与装置３に対し、必要に応じ、安静時の脳波に現れわれるとされるα波を誘引する８〜１３回／秒の振動を付与したり、深い睡眠時の特徴であるθ波およびδ波を誘引する１〜８回／秒の振動を付与したりすることで、睡眠者の安定状態を維持させる。但し、このような振動は、個人差によって異なるので、適宜実施されるのが好ましい。
【００６８】
［１６］  上記Ｓ１２５の処理による比較チェック結果、実際の睡眠の深さがプログラムに沿った内容と大きく異なる場合（ステップＳ１２５のＮＧ）、制御部５は、上記Ｓ１２３以降の処理を繰り返し実行することとなるが、プログラムに沿った内容となっている場合には（ステップＳ１２５のＯＫ）、睡眠制御をそのまま継続する（ステップＳ１２６）。
これにより、使用者は、睡眠が誘発されて睡眠状態に至り、その睡眠状態においては、レム睡眠とノンレム睡眠とが適宜繰り返されることとなる。
［１７］  そうして睡眠の時間が経過し、覚醒の時期に至ると、制御部５は、覚醒プログラムを実行する（ステップＳ１２７）。
【００６９】
［１８］  そして、再び図１１に示すように、制御部５は、振動付与装置３のピンアレイ３１を大きく駆動して所望の高さまで上げたりすることで覚醒動作を行い、使用者に覚醒を促す（ステップＳ１１１）。
この場合、覚醒を促すには、振動付与装置３がレム睡眠への移行時よりも大きな振動を付与する。また、照明装置８は、照度を大きくするとともに、膝下照明部８１によって膝側を照明する。必要によっては、スピーカ７から目覚めに適した音を発生する。
このような覚醒プログラムも、予め設定されている所定時間かけて行われることとなる。
これにより、使用者は、確実に目覚めることとなる。
［１９］  そして、使用者が目覚め、図示しない終了スイッチなどを操作されたとき、制御部５は、振動付与装置３のピンアレイ３１を元の所期位置まで戻すことで、睡眠制御が終了することとなる（ステップＳ１１２）。
【００７０】
このように、使用者の睡眠導入時には、振動付与部によって振動を付与するとともに、香発生装置から香りを発生させることで、使用者に睡眠を誘発し、しかも、睡眠時には、睡眠検出手段によって睡眠の深さを検出することで、使用者の睡眠の深さを検出するので、使用者に対し、ノンレム睡眠とレム睡眠とを繰り返させることができ、理想的な睡眠形態を持たせることができる。
【００７１】
したがって、本実施形態の寝具１によれば、睡眠制御装置２により、睡眠に際し、睡眠を誘発することができ、また、睡眠時間に基づき、その睡眠時間内で睡眠の深さを容易に変えて睡眠の深さのサイクルを制御することができ、しかも、覚醒時期には覚醒作用を起こさせることができるので、睡眠の深さを、単に浅いとか深いとかだけでなく、時間との関係をもって睡眠制御を行える結果、肉体疲労と脳の疲労との双方を確実に回復させることができてバランスのとれた理想的な静養を得ることができる。
そのため、例えば疲労感が残る睡眠となる人には、極めて有益となり、しかも、翌日の予定等の関係上で睡眠時間が指定されても、その時間内でバランスのとれた静養を得ることができるので、睡眠時間を短縮させたい人にも実用上の効果が得られる。
【００７２】
また、睡眠制御装置２は、制御部５により、睡眠時間に基づいて浅い睡眠と深い睡眠とを規定時間内で所定回数繰り返しつつ、必要最低限の深い睡眠の時間を確保する一方、覚醒時には使用者に浅い睡眠に誘引させるようにしたので、睡眠時のノンレム睡眠とレム睡眠とを繰り返させることができるばかりでなく、覚醒時に浅い睡眠に誘引することで、肉体疲労と脳疲労とを確実に除去することができ、例え夜のような長時間の睡眠や昼寝のような短時間の睡眠でも、静養効果を高めることができる。
その上、実際に記録された睡眠深さの内容に基づいて作成された複数のプログラムを有しているので、複数の人間に対応でき、また、同一人物であっても、時と場合とに応じたパターンの睡眠を得ることができるので、静養効果を確実に高めることができる。
【００７３】
また、脈波検出センサ６により、睡眠の深さを検出するので、使用者に対し、プログラムに基づいた睡眠の深さで睡眠制御することができる結果、静養効果を確実に高めることができる。その上、脈波検出センサ６は、使用者の腕（もしくは足）に装着されていると、以下の効果も奏することができる。
すなわち、通常、脳波の検出手段のようなヘッドギアのような形状をなすものでは、睡眠時に使用するのでは、装着感の負担があまりに大きくなり、また、アイマスクのような形態のものでも、顔に装着するので、装着感の負担があまりにも大きくなってしまい、逆に睡眠が妨げられるおそれがある。
【００７４】
その点、上述したように、脈波検出センサ６が腕（もしくは足）に装着されると、頭部への装着がなくなり、装着感の負担を著しく軽減することができ、睡眠が阻害されるのを防ぐことができる結果、使用者に対し頭部へのような不快な装着感を与えることがないのは勿論、使用者の脈拍を測定することで、睡眠の深さを的確に判定することができる。しかも、脈波検出センサ６が、脈波検出センサからなるので、脈拍検出手段に比較しても、腕に対する装着感をいっそう軽減することができるとともに、脈拍の測定を的確に行うことができ、睡眠の深さを的確に検出することができる。このようなことは、使用者の腕に限らず、足に装着しても同様である。
【００７５】
また、睡眠導入時にはスピーカ７から音が鳴り、その音によって睡眠をより誘引させることができるので、睡眠導入効果を高めることができる。その上、スピーカ７は、睡眠導入時のみならず、ノンレム睡眠への切り替え時にも利用すれば、レム睡眠からノンレム睡眠への切り替えを確実に行わせることもでき、反復制御を的確に行える。このようなスピーカ７からの音としては、上述した音楽、自然界の音、α波などに限らず、例えば自分の脳波音や心拍数が有効であるとの説も出ていることから、それらを用いてもよい。
但し、各個人の好みの音素材を含めて効果の個人差が大きいので、それぞれ最適の素材を使えるのが最も良い。このような最も良い音とは、実際の睡眠結果に基づいて判定することで、選択できるようにすればよい。
【００７６】
そして、本実施形態において、制御部５は、睡眠時には、ノンレム睡眠とレム睡眠とを繰り返させるため、振動付与部の振動数をそれぞれ上述した振動数に変えるようにした例を示したが、必要によっては、これらノンレム睡眠とレム睡眠との反復パターンを行わせるため、それらの反復時の山の部分および谷の部分毎に、上記と異なる振動数にすることもでき、また一定の振動数でオン・オフ制御することもでき、さらには、振動数を睡眠時間の長さに応じて変更することもできる。しかも、個人差によって異なるものの、検出された睡眠の深さとプログラムの内容に大きなズレが生じた場合、例えば、睡眠の浅い側にずれた場合には、より低い方に振動数を変化させ、反対に睡眠の深い側にずれは場合には、より高い方に振動数を変化させることなどもできる。
【００７７】
また本実施形態では、香発生装置として、ポンプにとって吸入口か芳香発生源へ空気を吸入し、芳香発生源から芳香排出口へ空気を排出することによって芳香を発生させるものを用いたが、それに限られず、例えば、液状からなる超微細な香りの成分のミストを噴霧してベッド本体１ａの周囲に香りを発生させるもの等、各種の香発生装置を用いることができる。
【００７８】
次に、本発明の寝具１の第２実施形態について説明する。
図１３は、本発明の寝具１の第２実施形態を示す概略図、図１４は、同じくその構成ブロック図である。
以下、第２実施形態の寝具１について、前述した第１実施形態との相違点を中心に説明し、同様の事項については、その説明を省略する。
【００７９】
第２実施形態の寝具１は、睡眠空間画成体９と、空気調整部１０と、体温計測センサ（睡眠検出手段）１１が付加されていること以外は、前述した第１実施形態と同様である。
つまり、図１３に示すように、第２実施形態の寝具１では、睡眠時、ベッド本体１ａに横たわる使用者の睡眠空間を画成するために睡眠空間画成体９が設けられている。この睡眠空間画成体９は、視界を遮らない透明なもので形成されるとともに、空気調整を効果的に行えつつ換気機能を果たす形状にするのが望ましく、例えば、視覚的に柔らかいイメージを表す繭形形状をなし、しかも、換気機能を果たせるように通風口が必要な数だけ設けられている。この場合、睡眠空間画成体９としては、例えばベッド本体１ａの頭部側もしくは足下側に伸縮自在な蛇腹状に構成すると、不使用時には、折り畳めるので好ましい。
【００８０】
空気調整部１０は、睡眠時、上記睡眠空間画成体９によって画成された空間内の空気調整、つまり、温度および湿度を管理するためのものである。特に、睡眠には、温度や湿度の調整に最も効果があり、温度については、一般的に睡眠導入時には高い方が良いとされ、ノンレム睡眠時にはエネルギーの消費を抑えるために体温を低下させることがよいとされている。但し、人体は、入眠後の発汗によって気化熱を利用して体温を低下させる機能を備えているので、温度以上に重要なのが湿度の管理と言われている。
【００８１】
体温計測センサ１１は、文字通り使用者の体温を検出するためのものであって、例えば耳の中の温度変化を赤外線で検出する赤外線センサからなっている。この赤外線センサは、装着に違和感がないような小型化であって、耳に差し込む形態で使用される。
上記睡眠空間画成体９、空気調整部１０、体温計測センサ１１のうち、体温計測センサ１１の検出信号が制御部５にフィードバックされることで、空気調整部１０が制御部５によって制御される。
【００８２】
そのため、図１４に示すように、制御部のＭＰＵ５１には、Ｉ／Ｆ５８を介して体温計測センサ１１が接続されるとともに、そのＩ／Ｆ５８にＩ／Ｆ１０ａを介して空気調整部１０のコンプレッサ１０ｂと、熱交換機構１０ｃと、バルブ１０ｄと、温度センサ１０ｅとの構成要素が接続されている。
したがって、本実施形態の寝具１においては、ステップＳ１２４の処理（図１２における睡眠制御の実行を参照）時、体温計測センサ１１によって検出された体温が制御部５にフィードバックされ、制御部５によって空気調整部が駆動されることで、睡眠空間画成体９によって画成された空間の温度および湿度が調整されることとなる。すなわち、睡眠導入時には、温度が高くされ、またノンレム睡眠時には温度が低くなるように制御される。
但し、温度の高低は、四季によって異なるばかりでなく、個人差があるので、使用者が適宜調整できるようにすることが好ましい。
【００８３】
本実施形態の寝具１によれば、睡眠時、睡眠空間画成体９によって使用者の睡眠空間を形成し、しかもその睡眠空間が空気調整部１０によって温度および湿度とからなる空気調整が行われるので、使用者の睡眠をいっそう良好にすることができ、安眠を的確にさせることが可能となる。
また、睡眠空間画成体９によって空間を画成すると、空気調整部による温度および湿度の管理を適切に行うことができ、ベッド本体１ａが設置された部屋全体の空気調整を行う場合に比較すると、省電力で正確な制御できるばかりでなく、複数の人間が同室で睡眠を取る場合の利便性を得ることができる。特に、温度のみならず湿度を考慮した場合には、速やかな効果を得ることができる。
【００８４】
さらに、体温計測センサ１１によって使用者の体温も計測して監視した場合、通常起きているときと睡眠しているときの差を明確にすることができ、これにより、脈波検出センサ６と併用することで、睡眠の深さを確実に検出することができる。本実施形態では、体温計測センサ１１として、耳に差し込む形態の小型な赤外線センサを用いているので、これにスピーカ機能を兼備させると、音発生装置部からの音を出力することも可能となる。これにより、音発生装置部から出力される音が、周囲に漏れることがなくなり、同室に複数の人間がいる場合には迷惑がかかるのを防ぐことができる。この体温計測センサ１１も有線よりは、無線タイプのものが好ましい。
【００８５】
次に、本発明の寝具１の第３実施形態について説明する。
図１５は、本発明の寝具１の第３実施形態を示す概略図、図１６は、同じくその構成ブロック図である。
以下、第３実施形態の寝具１について、前述した第１および第２実施形態との相違点を中心に説明し、同様の事項については、その説明を省略する。
【００８６】
第３実施形態の寝具１は、体験記録実行手段（符示せず）を付加していること以外は、前述した第２実施形態と同様である。
夢は、レム睡眠、ノンレム睡眠のいずれにも現れているように思えるが、一般的に、人間が体験した夢を記憶しているの可能性の高いのは、レム睡眠にあると言われている。フロイトの夢判断やダリが用いた絵の発想法などのように、夢を利用する場合にレム睡眠を制御して夢の記録を残すことは極めて有効である。しかも、一般的には、睡眠時、最初に訪れるレム睡眠の際の夢体験が有用とされている。
【００８７】
そこで、本実施形態では、前記体験記録実行手段を用いて、有効なレム睡眠レベルを検出し、使用者に対して一時的に睡眠を中断させ、そのときに体験した夢の内容を記録するように促す通知（報知）部（符示せず）と、夢の体験結果を記録させる記録手段としての体験結果記録部（符示せず）とからなる体験記録実行手段を付加している。
上記体験記録実行手段の通知部としては、スピーカ７と振動付与装置３とのいずれか一方、若しくは双方を利用する。スピーカ７を利用する場合、スピーカ７は、覚醒を起こさせる音を発生させるが、それ以外に、アラームを発生させるようにしてもよい。振動付与装置３を利用する場合、振動付与装置３は、覚醒を促すときと同様の振動数、若しくはそれより高い振動数を発生させるようになっている。
【００８８】
体験結果記録部は、図１５に示すように、マイクロフォン１２と録音装置（図示せず）とを用い、そのマイクロフォン１２を通じて使用者が体験した夢の内容を記録できるようになっている。この場合、夢の形状情報等を記録するようにすることも望ましく、そのため、好ましくはフルカラー等で記録することの可能な筆記用具なども用いるようにしてもよい。
【００８９】
このような体験記録実行手段は、制御部５によって制御される。そして、制御部５は、夢を見たと判断して体験記録実行手段を駆動させる場合には、前記脈波検出センサ６および体温計測センサ１１からの検出信号に基づいて判定する。つまり、制御部５は、睡眠時の脈拍と時間との関係の変化に基づき、脈拍がある一定以下に下がったとき（もしくは上がったとき）、夢を見たと判定することで、体験記録実行手段を行うようにしている。
【００９０】
以下、第３実施形態の作用を示す。
第３実施形態においても、基本的には第２実施形態と同様であるので、その相違点だけを図１７を用いて、以下に説明する。図１７は、図１２に対応するフローチャートである。
［２０］  図１７に示すＳ１２５の処理により、比較チェック結果がＹＥＳとなった後、例えば、使用者が睡眠に陥り、そのときの脈拍が脈波検出センサ６によって検出されるが、制御部５は、該脈波検出センサ６から信号の変化を検出することで、夢を見ていた状態にあったと判定する（ステップＳ１７１）。
【００９１】
［２１］  次いで、制御部５は、体験記録実行手段の通知部を駆動することで、使用者に対し覚醒の実行を行う（ステップＳ１７２）。
つまり、スピーカ７や振動付与装置３からなる通知部を駆動して覚醒を促すことで、使用者を起こす。
［２２］  その後、使用者は、夢を見た場合、そのときに見た夢の内容を、マイクロフォン１２を通じて話すことで、体験記録実行を行うこととなる（ステップＳ１７３）。
このとき、マイクロフォン１２により体験結果記録部に記録される。
なお、使用者は、話を始めるときに体験結果記録部をオンさせるとともに、話を終えた時点で、体験結果記録部をオフさせるのが好ましい。また、体験結果記録部のみならず、筆記用具等を用いて、色や形状等を使用者に記入させることもより有効となる。
【００９２】
［２３］  このようにして、体験記録が終了した後、使用者は、睡眠を続けるかどうか判断する（ステップＳ１７４）使用者が継続的に睡眠を行う場合（ステップＳ１７４のＹｅｓ）、制御部５はステップＳ１２１に移行し、睡眠制御を継続する。また、使用者がそのまま起きる場合には（ステップ１７４のＮｏ）、例えば睡眠解除などの旨を制御部５に対して入力した後、図１１にて示すステップＳ１１１以降の処理が同様になされることとなる。
本実施形態の寝具１によれば、睡眠検出手段が、睡眠の深さに基づいて夢をみている状態か否かを判定することもできるので、使用者が見た夢の内容を再現させるが可能となる。しかも、最初に訪れるレム睡眠の際の夢体験が、夢の利用に有効とされていることから、そのときの状態を睡眠検出手段によって検出することもできる。
【００９３】
そして、夢の再現に際しては、夢を見たとされる頃、前述したように、振動付与装置３とスピーカ７とのいずれか若しくは双方を用い、体験記録実行手段の通知部として機能させることで使用者を起こし、また体験結果記録部を用いることで夢の内容を記録することができるので、夢の利用を実施することができる。このような夢の再現は、使用者の体調を知ることができる一因にもなり得、健康管理等に役立つことも可能となる。
また、前述したように、録音装置のみならず、筆記用具等を用いて、色や形状等を使用者に記入させることも、夢の利用をより有効にすることができる。
【００９４】
以上、本発明の寝具１を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
また、本発明は、前記各実施形態のうちの、任意の２以上の構成（特徴）を組み合わせたものであってもよい。
【００９５】
また、前記実施形態では、制御部が、使用者によって指定されたプログラムの内容に基づいて睡眠制御を行うように構成した例を示したが、合計の睡眠時間が指定された時点で、その睡眠時間内で睡眠導入と、浅い睡眠と深い睡眠との所定回数の繰り返しと、必要最低限の深い睡眠時間の確保と、覚醒のための浅い睡眠とが得られるようにすることもできる。このようにすれば、例えば、翌日の予定等の都合上、短時間の睡眠しか確保できないような場合であって、良質の睡眠および静養を得ることができる。
【００９６】
また、本発明の寝具の用途、使用場所は、特に限定されず、例えば、一般的な家庭で使用できるのは勿論、一般的なホテル、高級ビジネスホテル、エグゼクティブクラスの飛行機のシート、エステティックサロン、勤務時間シフトのある仕事での仮眠室、空港や駅の仮眠室等においても利用することができる。
【図面の簡単な説明】
【００９７】
【図１】本発明の睡眠制御装置付寝具の第１実施形態を示す概略図である。
【図２】睡眠制御装置の振動付与部を示す拡大説明図である。
【図３】睡眠制御装置の香発生装置を示す説明図である。
【図４】図３のＸ矢視に相当する断面図である。
【図５】睡眠制御装置を示す構成ブロック図である。
【図６】理想とされる睡眠の深さと時間との関係を示す睡眠パターンの波形図である。
【図７】図６に相当する実際の睡眠時の脈拍と時間との関係を示す波形図である。
【図８】理想とされない睡眠時の脈拍と時間との関係を示す波形図である。
【図９】昼寝の脈拍と時間との関係を示す波形図である。
【図１０】理想とされる昼寝の脈拍と時間との関係を示す波形図である。
【図１１】睡眠から覚醒に至るまでのフローチャートである。
【図１２】図１１におけるＡのフローチャートである。
【図１３】本発明の睡眠制御装置付寝具の第２実施形態を示す概略図である。
【図１４】睡眠制御装置を示す構成ブロック図である。
【図１５】本発明の睡眠制御装置付寝具の第３実施形態を示す概略図である。
【図１６】睡眠制御装置を示す構成ブロック図である。
【図１７】図１２に対応するフローチャートである。
【符号の説明】
【００９８】
１……睡眠制御装置付寝具  １ａ……ベッド本体  １ｂ……緩衝材  ２……睡眠制御装置  ３……振動付与装置  ３１……ピンアレイ  ３２……押圧部  ３３……受圧部  ３４……感圧センサ  ３５  位置センサ  ３６……速度センサ  ３８……Ｉ／Ｆ  ３９……アクチュエータ  ４……香発生装置  ４０ａ……吸入口  ４０ｂ……芳香排出口  ４１……香料  ４２……香料収容部  ４３……第１ポンプ  ４３ａ、４３ｂ……ロータ  ４３ｃ、４３ｄ、４４ｃ、４４ｄ……回転軸  ４４……第２ポンプ  ４４ａ、４４ｂ……ロータ  ４５……ケース部材  ４６ａ、４６ｂ……連通溝  ４７……アクチュエータ  ４７ａ……振動体  ４７ｂ……圧電素子  ４８……駆動ロータ  ４９ａ、４９ｂ……歯車    ５……制御部  ５１……ＭＰＵ  ５２……ＲＡＭ  ５３……ＲＯＭ  ５４……電源部  ５５……操作部  ５６……遠隔操作部  ５７……表示部  ５８……Ｉ／Ｆ  ６……脈波検出センサ  ７……スピーカ  ８……照明装置  ８１……膝下照明部  ９……睡眠空間画成体  １０……空気調整部  １０ａ……Ｉ／Ｆ  １０ｂ……コンプレッサ  １０ｃ……熱交換機構  １０ｄ……バルブ  １０ｅ……温度センサ  １１……体温計測センサ（赤外線センサ）  １２……マイクロフォン  Ｄ１……内蔵データベース  Ｄ２……ＷＥＢ上のデータベース
【図１】
2005270401.tif 000003
【図２】
2005270401.tif 000004
【図３】
2005270401.tif 000005
【図４】
2005270401.tif 000006
【図５】
2005270401.tif 000007
【図６】
2005270401.tif 000008
【図７】
2005270401.tif 000009
【図８】
2005270401.tif 000010
【図９】
2005270401.tif 000011
【図１０】
2005270401.tif 000012
【図１１】
2005270401.tif 000013
【図１２】
2005270401.tif 000014
【図１３】
2005270401.tif 000015
【図１４】
2005270401.tif 000016
【図１５】
2005270401.tif 000017
【図１６】
2005270401.tif 000018
【図１７】
2005270401.tif 000019